(57)【要約】【課題】調節筒や工具を使用することなく脚体を伸縮させ、簡単に脚体の固定を高める家具の脚体の高さ調節手段を提供する。【解決手段】貫通する透孔を有する外筒体３の内側に貫通する透孔を有する内筒体１を摺嵌し外筒体３の外方から内筒体１内面の雌ねじ体１５に把持部３９を備える雄ねじ体５を螺合させ、把持部３９を手で締め付けることにより、内筒体１内の中間押圧体１９を介して内筒体押圧体１７が内筒体１を押し広げるなどして、内筒体１が外筒体３の内面に圧着して固定する家具の脚体の高さ調節手段。【選択図】図４
2018000547.tif 000002
【特許請求の範囲】
【請求項１】
外筒体の内側に内筒体を摺嵌してなり、
該内筒体には該内筒体を内外に貫通する単数又は複数の透孔を形成し、該外筒体には該外筒体を内外に貫通する少なくとも一つの透孔を該内筒体の透孔に対応させて形成し、
該内筒体は可撓性又は弾性を備え、
該内筒体の内面には該内筒体の前記透孔に連通する雌ねじ体を備えさせると共に内筒体押圧体を該雌ねじ体に対向させて進退不能に取り付け、該内筒体押圧体は該雌ねじ体に向かって徐々に広幅となるテーパ状部を備え、該テーパ状部は弾性を有し、
該外筒体の外方より雄ねじ体を該外筒体の透孔と該内筒体の透孔とを通して該雌ねじ体に螺合させ、該雄ねじ体の外端には該外筒体より外方に突出する把持部を備えさせ、
該雌ねじ体と該内筒体押圧体のテーパ状部との間には中間押圧体を該内筒体押圧体に接離する方向に進退自在に配設し、該中間押圧体は該雄ねじ体により該内筒体押圧体に接近する方向に押されたときに該内筒体押圧体のテーパ状部を押し広げるようになし、
以て該雄ねじ体の把持部を回転させることにより該雄ねじ体が該内筒体押圧体に接近する方向に前進し、該中間押圧体を介して該内筒体押圧体のテーパ状部を押し広げることにより該内筒体を該外筒体の内面に圧着させて該内筒体を該外筒体に固定するようにしたことを特徴とする家具の脚体の高さ調整手段。
【請求項２】
前記内筒体押圧体のテーパ状部は略水平方向に押し広げられることを特徴とする請求項１に記載の家具の脚体の高さ調整手段。
【請求項３】
前記外筒体の内面には複数本の突条を上下方向に形成したことを特徴とする請求項１又は２に記載の家具の脚体の高さ調整手段。
【発明の詳細な説明】
【技術分野】
【０００１】
本発明は、こたつ、テーブル等の家具の脚体の高さ調節手段に係るものである。
【背景技術】
【０００２】
こたつ、テーブルなどの家具において、天板の高さを昇降して使用者の体格や作業内容等に合わせて調節することにより、作業環境や生活環境を快適にすることができる。従来、家具の天板を昇降させるために脚体の高さを調整する手段としては、特許文献１に、天板に固定した筒状の脚とその内側に出入り自在の挿入ロッド部からなり、天板に固定した脚と挿入ロッドの間に筒状の調整筒を挿入する手段が記載されている。
【０００３】
また、学校用等に使用される高さ調節可能な机において、その高さ調節は、脚体を複数の孔の開いた大径パイプと小径パイプからなる二重構造とし、大径パイプと小径パイプとを伸縮させ、両パイプに開けた孔にボルトを通し、ナット類で締結することにより行っている。
【先行技術文献】
【特許文献】
【０００４】
【特許文献１】特開２０１５−１３０９７０号公報
【発明の概要】
【発明が解決しようとする課題】
【０００５】
しかるに、特許文献１の脚体の高さ調節手段は、脚体の下部の挿入ロッドを天板に固定した脚から外した後に高さを調節するための調整筒を挿入する作業を全ての脚に行わなくてはならず、時間と手間がかかる。また、天板の高さを複数段階に調節する場合には、複数の調節筒を用いなくてはならず、使用していない調節筒は別の場所に保管しておかなくてはならないという問題点があった。
【０００６】
学校用等に使用される高さ調節可能な机のように脚体を二重構造とした場合、高さ調整を行うに当たり、工具を使って脚体に締結されているボルトを緩め、そのボルトを取り外した後、必要な高さ位置に脚体の孔の一を合わせ、その孔に再度ボルトを挿入し、工具で締め付けなくてはならないという手間がかかる。また、工具の扱いに慣れないものが作業を行った場合、ボルトの締め付けが不十分となり、脚がぐらつくという問題点があった。
【０００７】
従来の家具の脚体の高さ調節手段における上述の如き問題に鑑み、本発明は、調節筒や工具を使用することなく、伸縮させた脚体を簡単かつ確実に固定する家具の脚体の高さ調節手段を提供する。
【課題を解決するための手段】
【０００８】
上記課題を解決するために、本発明は、下記の家具の脚体の高さ調節手段を提供する。
【０００９】
（１）外筒体の内側に内筒体を摺嵌してなり、
該内筒体には該内筒体を内外に貫通する単数又は複数の透孔を形成し、該外筒体には該外筒体を内外に貫通する少なくとも一つの透孔を該内筒体の透孔に対応させて形成し、
該内筒体は可撓性又は弾性を備え、
該内筒体の内面には該内筒体の前記透孔に連通する雌ねじ体を備えさせると共に内筒体押圧体を該雌ねじ体に対向させて進退不能に取り付け、該内筒体押圧体は該雌ねじ体に向かって徐々に広幅となるテーパ状部を備え、該テーパ状部は弾性を有し、
該外筒体の外方より雄ねじ体を該外筒体の透孔と該内筒体の透孔とを通して該雌ねじ体に螺合させ、該雄ねじ体の外端には該外筒体より外方に突出する把持部を備えさせ、
該雌ねじ体と該内筒体押圧体のテーパ状部との間には中間押圧体を該内筒体押圧体に接離する方向に進退自在に配設し、該中間押圧体は該雄ねじ体により該内筒体押圧体に接近する方向に押されたときに該内筒体押圧体のテーパ状部を押し広げるようになし、
以て該雄ねじ体の把持部を回転させることにより該雄ねじ体が該内筒体押圧体に接近する方向に前進し、該中間押圧体を介して該内筒体押圧体のテーパ状部を押し広げることにより該内筒体を該外筒体の内面に圧着させて該内筒体を該外筒体に固定するようにしたことを特徴とする家具の脚体の高さ調整手段（請求項１）。
【００１０】
（２）前記内筒体押圧体のテーパ状部は略水平方向に押し広げられることを特徴とする請求項１に記載の家具の脚体の高さ調整手段（請求項２）。
【００１１】
（３）前記外筒体の内面には複数本の突条を上下方向に形成したことを特徴とする請求項１又は２に記載の家具の脚体の高さ調整手段（請求項３）。
【発明の効果】
【００１２】
［請求項１の発明］
請求項１の発明によれば、外筒体と内筒体とを摺動して脚体の高さを調節するにあたり、該外筒体の外方より雄ねじ体を該外筒体の透孔と該内筒体とを通して該内筒体透孔に連通する雌ねじ体に螺合させ、雄ねじ体外端の把持部を手で雄ねじ体進行方向に回転させて締め付けることにより、該雄ねじ体が該内筒体押圧体に接近する方向に前進し、該中間押圧体を介して該内筒体押圧体のテーパ状部を押し広げることにより該内筒体を該外筒体の内面に圧着させて該内筒体を該外筒体に固定するので、脚体がぐらつかず安定する。
更に、家具の脚体の高さ調節をするには、雄ねじ体の把持部を手で雄ねじ体逆進行方向に回転させて外し、外筒体と内筒体とを摺動して脚体の高さを変えた後に、再度、外筒体の透孔の外方から雄ねじ体を手で回転させて締め付けるだけなので、調節筒や工具を使用することなく脚体を簡単かつ確実に固定することができる。
【００１３】
［請求項２の発明］
請求２の発明によれば、内筒体が外筒体内面を略水平十字方向に押圧することから、内筒体が外筒体内面に偏りなく圧着することとなるため、脚体の固定が強固になる。
【００１４】
［請求項３の発明］
請求３の発明によれば、外筒体内面の上下の突条に、内筒体の外筒体に対する押圧力が集中するため、外筒体内面の突条の箇所で内筒体が強く圧着することとなるため、内筒体と外筒体との固定が強固になる。
【図面の簡単な説明】
【００１５】
【図１】図１は、本発明を適用した脚体の一例の斜視図である。
【図２】図２は、図１の脚体を備えたこたつの一例の正面図である。
【図３】図３は、図２のＡ−Ａ’断面図であり、本発明の脚体の高さ調節手段の一例である。
【図４】図４は、図２のＢ−Ｂ’断面図であり、図３の断面図である。
【図５】図５は、図３の雄ねじ体を締め付けていない状態の平面図である
【図６】図６は、図５の断面図である
【図７】図７は、図３に示す内筒体押圧体の平面図である。
【図８】図８は、図３に示す内筒体押圧体の左側面図である。
【図９】図９は、図３に示す内筒体押圧体の斜視図である。
【図１０】図１０は、図３に示す内筒体押圧体の断面図である。
【図１１】図１１は、図３に示す中間押圧体の平面図である。
【図１２】図１２は、図３に示す中間押圧体の左側面図である。
【図１３】図１３は、図３に示す中間押圧体の斜視図である。
【図１４】図１４は、図３に示す中間押圧体の断面図である。
【発明を実施するための形態】
【００１６】
以下、本発明の実施形態を、図面に基づいて説明する。
図１は、本発明を適用した家具の脚体の一例の斜視図である。四角筒の外筒体３の内側に内筒体１が摺嵌した二重構造になっており、脚体上部には天板１３と脚体を固定するため雄ねじ体を螺合させるためのねじ穴１１を備えた天板固定板９が取り付けてある。外筒体３の外方より雄ねじ体５の把持部３９を手で回転させて締め付けるだけで本発明の脚体固定手段が作用して内筒体１を外筒体３の内面に圧着させて固定する。
内筒体１を外筒体３に対して摺動させ、透孔７の位置で雄ねじ体５を取り付けることにより、脚体の高さは低くなる。内筒体には内筒体を内外に貫通する単数又は複数の透孔を形成する必要があり、図１においては内筒体１の透孔の数は３である。外筒体には外筒体を内外に貫通するすくなくとも一つの透孔を該内筒体の透孔に対応させて形成する必要があり、図１においては外筒体３の透孔は一つである。内筒体及び外筒体の水平断面の形状は、図１に示すような略正方形が好ましいが、多角形、円、楕円などでもよい。
【００１７】
図２は、図１の脚体を用いたこたつの正面図である。天板１３を高くすることにより、ひざや腰の悪い人でも椅子に座った状態でこたつを利用することが可能となる。
【００１８】
図３は、図２のＡ−Ａ’断面図、図４は図２のＢ−Ｂ’断面図であり、本発明の脚体の高さ調節手段の一例である。外筒体３の内側に内筒体１を摺嵌してなり、内筒体１には内筒体１を内外に貫通する透孔７があり、外筒体３には外筒体を内外に貫通する透孔８を内筒体１の透孔７に対応させて形成した。
【００１９】
内筒体１は可撓性又は弾性を備え、内筒体１の内面には内筒体１の透孔７に連通する雌ねじ体１５を固着させるとともに、内筒体押圧体１７を雌ねじ体１５に対向させて内筒体１に固着させた。内筒体押圧体１７は雌ねじ体１５に向かって徐々に広幅となるテーパ状部１７ａを備えさせた。該テーパ状部１７aは弾性を有する。
【００２０】
外筒体３の外方より雄ねじ体５を外筒体３の透孔８と内筒体１の透孔７とを通して雌ねじ体１５に螺合させ、雄ねじ体５の外端には外筒体３より外方に突出する把持部３９を備えさせた。
【００２１】
雌ねじ体１５と内筒体押圧体１７のテーパ状部１７ａとの間には中間押圧体１９を内筒体押圧体１７に接離する方向に進退自在に配設した。
【００２２】
外筒体３の内面には複数本の突条２１を上下方向に形成する合成樹脂の板２２を張り付けた。
【００２３】
雄ねじ体５の把持部３９を手で回転させることにより雄ねじ体５が内筒体押圧体１７に接近する方向に前進し、雌ねじ体１５を貫通する。雄ねじ体５の先端部３７は、中間押圧体１９の雄ねじ体接触凹部３５を矢印４１ａに示す方向に押圧する。中間押圧体１９の内筒体押圧体接触凹部３３は内筒体押圧体１７の棒状部２５を矢印４１ｂに示す方向に押圧し、内筒押圧体１７は内筒体１を矢印４１ｃに示す方向に押圧する。同時に、中間押圧体１９の肩部３１は内筒体押圧体を矢印４１ｅに示す方向に押圧する。弾性を有する内筒体押圧体１７のテーパ状部１７ａは、中間押圧体１９の肩部３１に押圧されて外方に広がり、内筒体押圧体１７の内筒体密着部２３は内筒体１内面に密着し、内筒体１を矢印４１ｆに示す方向に押圧する。内筒体押圧体１７に押圧されたことにより、可撓性又は弾性を有する内筒体１は外筒体３を矢印４１ｄ及び矢印４１ｇに示す方向に押圧して圧着する。
【００２４】
雌ねじ体１５は、内筒体押圧体１７が内筒体１を矢印４１ｃに示す方向に押圧する反作用として内筒体１を矢印４１ｈに示す方向に押圧し、可撓性又は弾性を有する内筒体１は外筒体３を矢印４１ｉに示す方向に押圧して圧着する。
【００２５】
内筒体１は外筒体３を外方の四方向に押圧することにより、可撓性又は弾性を有する内筒体１は外筒体３と圧着し、その結果内筒体１と外筒体３は固定する。
【００２６】
内筒体押圧体が内筒体を押圧する箇所は複数であればよく、図４に示す一例では、内筒体押圧体１７が内筒体１を外方に押圧する方向が、内筒体１の略中央の雄ねじ体５の進行方向と略直角の略水平方向であることから、内筒体１は外筒体３に均一に圧着し、内筒体１と外筒体３との固定を確実にする。
【００２７】
図４に示す一例では、外筒体３の内面に嵌めこんだ合成樹脂からなる複数の上下突条２１を配設することにより、内筒体１の外方への押圧力が突条に集中し、その結果、内筒体１と外筒体３の圧着を強固にし固定を確実にする。外筒体３の内面の複数の上下突条は外筒体内面と一体であってもよく、材質は合成樹脂に限定されないが可撓性又は弾性を有するものであることが好ましい。
【００２８】
図５は図３の雄ねじ体５を外した状態であり、図６は図５の断面図である。内筒体１に固定されている内筒体押圧体１７の位置は変わらず、進退自在の中間押圧体１９の肩部３１及び内筒体押圧体接触凹部３３は内筒体押圧体１７と離間した状態となる。その結果、内筒体押圧体１７は内筒体１を押圧せず、内筒体１は外筒体３を押圧せず、可撓性又は弾性を有する内筒体１と外筒体３との圧着はなくなり、内筒体１は外筒体３の内側をスライドして動くようになる。
【００２９】
内筒体押圧体１７につき、図７は平面図、図８左側面図、図９は斜視図、図１０は断面図である。内筒体押圧体１７は雌ねじ体１５に向かって徐々に広幅となるテーパ状部１７ａを備え、内筒体密着部２３を有する。内筒体密着部２３は内筒体内面と密着する形状とするのが好ましい。内筒体押圧体１７は、略中央部に中間押圧体１９と接するための棒状部２５及び中間押圧体１９を略水平の位置に保持するためのガイド２９を有し、固着用凸部２７を内筒体１の壁内に埋め込んで内筒体１に固着した。なお、内筒体押圧体は内筒体に固着されていなくても進退不能であればよい。
【００３０】
中間押圧体１９につき、図１１は平面図、図１２は左側面図、図１３が斜視図、図１４は断面図である。中間押圧体の一例を図１１ないし図１４に示した。中間押圧体１９は、内筒体押圧体１７の棒状部２５が入る内筒体押圧体接触凹部３３、内筒体押圧体を外側に押圧するための肩部３１、雄ねじ体の先端部３７が接する雄ねじ体接触凹部３５を設けた。
【符号の説明】
【００３１】
１    内筒体
３    外筒体
５    雄ねじ体
７    内筒体の透孔
８    外筒体の透孔
９    天板固定板
１１  ねじ穴
１３  天板
１５  雌ねじ体
１７  内筒体押圧体
１７ａ  内筒体押圧体のテーパ状部
１９  中間押圧体
２１  突条
２２  複数本の突条を上下方向に形成する合成樹脂の板
２３  内筒体密着部
２５  棒状部
２７  固着用凸部
２９  ガイド
３１  肩部
３３  内筒体押圧体接触凹部
３５  雄ねじ体接触凹部
３７  雄ねじ体の先端部
３９  雄ねじ体把持部
４１ａ〜ｉ  押圧の方向
【図１】
2018000547.tif 000003
【図２】
2018000547.tif 000004
【図３】
2018000547.tif 000005
【図４】
2018000547.tif 000006
【図５】
2018000547.tif 000007
【図６】
2018000547.tif 000008
【図７】
2018000547.tif 000009
【図８】
2018000547.tif 000010
【図９】
2018000547.tif 000011
【図１０】
2018000547.tif 000012
【図１１】
2018000547.tif 000013
【図１２】
2018000547.tif 000014
【図１３】
2018000547.tif 000015
【図１４】
2018000547.tif 000016